(57)【要約】【課題】本発明は、絶縁距離を確保することができる電極ライン構造に形成されたコネクターを含むプラズマディスプレイ装置を提供することにある。  【解決手段】電極１４を含むプラズマディスプレイパネル１２と、電極１４に駆動信号を供給するために電極１４と繋がれ、電極１４の幅より狭い電極ライン１３を含むコネクター１１と、を備えたことを特徴とするプラズマディスプレイ装置。【選択図】図４
2006227622.tif 000002
【特許請求の範囲】
【請求項１】
電極を含むプラズマディスプレイパネルと、
前記電極に駆動信号を供給するために前記電極と繋がれ、前記電極の幅より狭い電極ラインを含むコネクターと、
を備えたことを特徴とするプラズマディスプレイ装置。
【請求項２】
前記電極は、スキャン電極、サステイン電極、データ電極の内の少なくとも一つを含むことを特徴とする、請求項１記載のプラズマディスプレイ装置。
【請求項３】
前記電極は、銅（Ｃｕ）または銀（Ａｇ）で形成されていることを特徴とする、請求項１記載のプラズマディスプレイ装置。
【請求項４】
前記電極の幅は、前記電極ラインの幅の１．１倍以上１．５倍以下であることを特徴とする、請求項１記載のプラズマディスプレイ装置。
【請求項５】
導電性接着フィルムが前記電極と前記電極ラインの間に介装されることを特徴とする、請求項１記載のプラズマディスプレイ装置。
【請求項６】
前記導電性接着フィルムはＡＣＦであることを特徴とする、請求項５記載のプラズマディスプレイ装置。
【請求項７】
前記電極及び前記電極ラインは複数であり、
隣接する電極ラインの間の距離は、隣接する電極の間の距離よりも大きいことを特徴とする、請求項１記載のプラズマディスプレイ装置。
【請求項８】
前記電極ラインは、ニッケルによってメッキされることを特徴とする、請求項１記載のプラズマディスプレイ装置。
【請求項９】
前記電極ラインの表面にニッケル薄膜が形成されることを特徴とする、請求項１記載の
プラズマディスプレイ装置。
【請求項１０】
前記電極と重なる前記電極ラインの表面にニッケル薄膜が形成されることを特徴とする、請求項１記載のプラズマディスプレイ装置。
【請求項１１】
前記コネクターは、ＴＣＰ、ＣＯＦまたはＦＰＣの内の少なくとも一つであることを特徴とする、請求項１記載のプラズマディスプレイ装置。
【請求項１２】
電極を含むプラズマディスプレイパネルと、
前記電極に駆動信号を供給するために前記電極と繋がれる電極ラインであって、前記電極と対向する前記電極ラインの断面の最下部の幅は前記断面の最上部の幅より小さく、前記断面の最上部の幅は前記電極の幅より小さい前記電極ラインを含むコネクターと、
を備えたことを特徴とするプラズマディスプレイ装置。
【請求項１３】
前記電極は、スキャン電極、サステイン電極、データ電極の内の少なくとも一つを含むことを特徴とする、請求項１２記載のプラズマディスプレイ装置。
【請求項１４】
前記電極は、銅（Ｃｕ）または銀（Ａｇ）で形成されていることを特徴とする、請求項１２記載のプラズマディスプレイ装置。
【請求項１５】
前記電極の幅は、前記最上部の幅の１．１倍以上１．５倍以下であることを特徴とする、請求項１２記載のプラズマディスプレイ装置。
【請求項１６】
前記電極及び前記電極ラインは複数であり、
隣接する電極ラインの間の距離は、隣接する電極の間の距離よりも大きいことを特徴とする、請求項１２記載のプラズマディスプレイ装置。
【請求項１７】
前記電極ラインの断面は梯形であることを特徴とする、請求項１２記載のプラズマディスプレイ装置。
【請求項１８】
電極を含むプラズマディスプレイパネルと、
前記電極に駆動信号を供給するために前記電極と繋がれる電極ラインであって、前記電極と対向する前記電極ラインの断面の最下部の幅は前記断面の最上部の幅と等しく、前記断面の最上部の幅は前記電極の幅より小さい前記電極ラインを含むコネクターと、
を備えたことを特徴とするプラズマディスプレイ装置。
【請求項１９】
前記電極は、スキャン電極、サステイン電極、データ電極の内の少なくとも一つを含むことを特徴とする、請求項１８記載のプラズマディスプレイ装置。
【請求項２０】
前記電極は、銅（Ｃｕ）または銀（Ａｇ）で形成されていることを特徴とする、請求項１８記載のプラズマディスプレイ装置。
【請求項２１】
前記電極の幅は、前記最上部の幅の１．１倍以上１．５倍以下であることを特徴とする、請求項１８記載のプラズマディスプレイ装置。
【請求項２２】
前記電極及び前記電極ラインは複数であり、
隣接する電極ラインの間の距離は、隣接する電極の間の距離よりも大きいことを特徴とする、請求項１８記載のプラズマディスプレイ装置。
【請求項２３】
前記電極ラインの断面は長方形または正方形であることを特徴とする、請求項１８記載のプラズマディスプレイ装置。
【発明の詳細な説明】
【技術分野】
【０００１】
本発明はコネクターを含むプラズマディスプレイ装置に関する。
【背景技術】
【０００２】
一般的なプラズマディスプレイ装置は、プラズマディスプレイパネルと、プラズマディスプレイパネルを駆動するための駆動装置とを含む。一般的なプラズマディスプレイパネルは、自発光、高速応答性及び広い光視野角のような優秀な特徴を持っているので、プラズマディスプレイ装置の使用及び普及がさらに拡がっている。
【０００３】
一般的なプラズマディスプレイ装置は、原価低減及び製造工程の自動化のためにプラズマディスプレイパネルの電極に駆動信号を伝送するコネクターを含む。
【０００４】
図１及び図２は、一般的なプラズマディスプレイ装置のコネクターの断面図である。図１に示すのように、コネクター１の電極ライン３に導電性粒子を含む導電性接着フィルム５が１次圧着される。以後、図２に示すのように、導電性接着フィルム５に熱が加えられながら圧着基準点を基準に導電性接着フィルム５がプラズマディスプレイパネル２及びコネクター１に加えられた力によって圧着される。これによって導電性接着フィルム５が熱によって膨脹されながら導電性接着フィルムの電極ライン３とプラズマディスプレイパネルの電極４が繋がれる。導電性接着フィルム５はＡＣＦ（Ａｎｉｓｏｔｒｏｐｉｃ Ｃｏｎｄｕｃｔｉｖｅ  Ｆｉｌｍ）であることがある。
【０００５】
コネクター１の電極ライン３の幅（Ｗ１）とプラズマディスプレイパネル２の電極４の幅（Ｗ２）は等しいが、圧着過程でプラズマディスプレイパネル２の電極４とコネクター１のアライメント（ａｌｉｇｎｍｅｎｔ）が完全ではない場合電極ライン間の絶縁距離(通り)(L1)が短くなるおそれがある。電極ライン間の絶縁距離が短くなれば電極材のマイグレイション（ｍｉｇｒａｔｉｏｎ）によって電極ライン間の絶縁が脆弱になる。
【０００６】
プラズマディスプレイパネル２の電極では、イオン化された電極材が電位差によって移動するマイグレイション現象が発生する。プラズマディスプレイパネル２の電極４でマイグレイションが発生する場合、電極材イオンがコネクター１の電極ライン３に付着して隣接電極ラインに移動する。
【０００７】
すなわち、電極表面に吸収された水気によって電極材が加水分解されて電極材がイオン化される。イオン化された電極材は電位差によって電極ライン３に付いて、接した電極ラインまで移動して電極ラインの間にショート（ｓｈｏｒｔ）が発生する。また、電極材がイオン化されて移動するので、元々の電極はオープンになる可能性がある。特に、プラズマディスプレイパネル２の電極４が銀電極の場合、マイグレイション現象が著しいから電極ラインの間にショート発生の可能性が大きくなる。
【０００８】
したがって、電極ライン３の幅（Ｗ１）と電極４の幅（Ｗ２）が等しい場合、不完全なアライメントによって絶縁距離（Ｌ１）が短くなって電極材のマイグレイションによって電極ラインの間にショート（ｓｈｏｒｔ）の発生する可能性がさらに大きくなる。
【０００９】
図３に示すように、電極ラインの幅（ａ１）が電極の幅(b1)より大きい場合、電極材のマイグレイションによって電極ラインの間にショートの発生する可能性はさらに大きくなる。すなわち、電極ラインの幅（ａ１）が電極の幅（ｂ１）より大きい場合電極ライン間の絶縁距離（Ｌ１）は短くなるので電極材のマイグレイションによって、電極ラインの間にショートの発生する可能性は大きくなる。なおかつ、電極ライン３と電極４の間のアライメントが不完全な場合、電極ライン間の絶縁距離（Ｌ１）がさらに短くなるのでマイグレイションによって電極ラインの間にショートの発生する可能性は大きくなる。
【発明の開示】
【発明が解決しようとする課題】
【００１０】
本発明の目的は、絶縁距離を確保することができる電極ライン構造に形成されたコネクターを含むプラズマディスプレイ装置を提供することにある。
【課題を解決するための手段】
【００１１】
本発明の実施形態によるプラズマディスプレイ装置は、電極を含むプラズマディスプレイパネル及び前記電極に駆動信号を供給するために前記電極と繋がれる電極ラインとを含むコネクターを含み、前記電極ラインの幅は前記電極の幅より狭い。
【００１２】
本発明の実施形態によるプラズマディスプレイ装置は、電極を含むプラズマディスプレイパネル及び前記電極に駆動信号を供給するために前記電極と繋がれる電極ラインを含むコネクターを含み、前記電極と対向する前記電極ラインの断面の最下部の幅は前記電極ラインの断面の最上部の幅より小さく、前記電極ラインの断面の最上部の幅は前記電極の幅より小さくすることが可能である。
【００１３】
本発明の実施形態によるプラズマディスプレイ装置は、電極を含むプラズマディスプレイパネルと、前記電極に駆動信号を供給するために前記電極と繋がれる電極ラインを含むコネクターとを備え、前記電極と対向する前記電極ラインの断面の最下部の幅は前記電極ラインの断面の最上部の幅と等しく、前記電極ラインの断面の最上部の幅は前記電極の幅より小さくすることが可能である。
【００１４】
前記電極はスキャン電極、サステイン電極、データ電極の内の少なくとも一つを含むことが可能である。
【００１５】
前記電極は銅（Ｃｕ）または銀（Ａｇ）で形成することが可能である。
【００１６】
前記電極の幅は、前記電極ラインの幅の１．１倍以上１．５倍以下とすることが可能である。
【００１７】
導電性接着フィルムが、前記電極と前記電極ラインの間に介装されることができる。
【００１８】
前記導電性接着フィルムはＡＣＦとすることが可能である。
【００１９】
前記電極ラインと隣接電極ラインの間の幅は、前記電極と隣接電極の間の幅より大きくなることができる。
【００２０】
前記電極ラインはニッケルによってメッキされることができる。
【００２１】
前記電極ラインの表面にニッケル薄膜が形成されることができる。
【００２２】
前記電極と重なる前記電極ラインの表面にニッケル薄膜が形成されることができる。
【００２３】
前記コネクターは、ＴＣＰ、ＣＯＦまたはＦＰＣの内の少なくとも一つとすることが可能である。
【００２４】
前記電極は、スキャン電極、サステイン電極、データ電極の内の少なくとも一つを含むことが可能である。
【００２５】
前記電極は銅（Ｃｕ）または銀（Ａｇ）で形成することが可能である。
【００２６】
前記電極の幅は、前記電極ラインの断面の最上部の幅の１．１倍以上１．５倍以下とすることが可能である。
【００２７】
前記電極ラインと隣接電極ラインの間の幅は、前記電極と隣接電極の間の幅より大きくなることができる。
【００２８】
前記電極ラインの断面は梯形とすることが可能である。
【００２９】
前記電極は、スキャン電極、サステイン電極、データ電極のうちの少なくとも一つをすくむことが可能である。
【００３０】
前記電極は銅（Ｃｕ）または銀（Ａｇ）で形成することが可能である。
【００３１】
前記電極の幅は、前記電極ラインの断面の最上部の幅の１．１倍以上１．５倍以下とすることが可能である。
【００３２】
前記電極ラインと隣接電極ラインの間の幅は、前記電極と隣接電極の間の幅より大きくなることができる。
【００３３】
前記電極ラインの断面は長方形または正方形であることがある。
【発明の効果】
【００３４】
本発明の実施形態によるプラズマディスプレイ装置は、電極材のマイグレイションによる電極ラインの間のショート発生の可能性を減らすことができる。
【００３５】
本発明の実施形態によるプラズマディスプレイ装置は、電極ラインと電極の間の不完全なアライメントが発生する場合にも、マイグレイションによる電極ラインの間のショート発生可能性を減らすことができる。
【発明を実施するための最良の形態】
【００３６】
以下では本発明による具体的な実施形態を添付された図面を参照して説明する。
【００３７】
＜第１実施形態＞
図４は、本発明の第１実施形態によるプラズマディスプレイ装置の平面図である。
図４に示すのように、本発明の第１実施形態によるプラズマディスプレイ装置は、電極１４を含むプラズマディスプレイパネル１２と、電極１４に駆動信号を供給するために電極１４と繋がれる電極ライン１３を含むコネクター１１と、を含む。電極ライン１３の幅は電極１４の幅より狭い。
【００３８】
電極ライン１３の表面には、ニッケルによってメッキを施すことができる。また、電極ライン１３の表面には、ニッケル薄膜を形成することができる。また、電極１４と重なる電極ラインの表面にのみ、ニッケルによるメッキ又はニッケル薄膜を形成することも可能である。
【００３９】
電極１４は、スキャン電極、サステイン電極またはデータ電極の内の少なくとも一つである。すなわち、スキャン電極、サステイン電極またはデータ電極の内一つの電極の幅が電極ライン１３の幅より大きくすることができる。言い換えれば、スキャン電極、サステイン電極またはデータ電極のうちの少なくとも１つの電極に接続するコネクタの電極ラインを電極の幅よりも小さく形成する。また、スキャン電極、サステイン電極またはデータ電極の内の二つの電極それぞれの幅が電極ライン１３の幅より大きくなることができる。また、スキャン電極、サステイン電極及びデータ電極それぞれの幅が電極ライン１３の幅より大きくなることができる。
【００４０】
また、電極１４は、銅や銀を含む。また、コネクター１１は、ＣＯＦ（Ｃｈｉｐ ｏｎ Ｆｉｌｍ）、ＴＣＰ（Ｔａｐｅ Ｃａｒｒｉｅｒ Ｐａｃｋａｇｅ）またはＦＰＣ（Ｆｌｅｘｉｂｌｅ Ｐｒｉｎｔｅｄ Ｃｉｒｃｕｉｔ）の内少なくとも一つを含む。また、コネクター１１は、ＣＯＦ、ＴＣＰまたはＦＰＣの何れのタイプのコネクタであっても良い。導電性接着フィルム１５は、プラズマディスプレイパネル１２及びコネクター１１に合着されて、電極の間及び電極ラインの間を絶縁する。導電性接着フィルム１５は、異方性導電膜ＡＣＦ（Ａｎｉｓｏｔｒｏｐｉｃ  Ｃｏｎｄｕｃｔｉｖｅ  Ｆｉｌｍ）とすることが可能である。
【００４１】
図５は、図４のＡ−Ａ’に対する断面を示すのである。図５に示すように、コネクター１１の電極ライン１３は、導電性接着フィルム１５によってプラズマディスプレイパネル１２の電極１４と電気的に繋がれる。また、導電性接着フィルム１５は、電極の間及び電極ラインの間を絶縁する。図５に示すように、本発明の第１実施形態によるプラズマディスプレイ装置で電極１４と対向する電極ライン１３の断面の最下部の幅（ａ３）は、電極ライン１３の断面の最上部の幅（ａ２）より狭く、かつ、電極ライン１３の断面の最上部の幅（ａ２）は電極の幅（ｂ２）より狭い。本発明の第１実施形態によるプラズマディスプレイ装置で電極ライン１３の断面は梯形である。
【００４２】
これによって、絶縁距離（Ｌ３）は、電極１４と電極１４の間の距離（Ｄ）より大きい。電極（１２）の幅（ｂ２）は、電極ライン１３の断面の最上部の幅（ａ２）の１．１倍以上１．５倍以下である。
【００４３】
電極ラインの間の絶縁距離（Ｌ３）が、図２及び図３での絶縁距離（Ｌ１）より大きいので、電極材のマイグレイションによる電極ラインの間のショートの発生可能性が減る。
【００４４】
コネクター１１の電極ライン１３に導電性接着フィルム１５が仮に１次圧着される。そして電極ライン１３がプラズマディスプレイパネルの電極１４にアライメントされた後圧着基準点を基準に導電性接着フィルム１５がプラズマディスプレイパネル１２及びコネクター１１に加えられた力によって圧着される。
【００４５】
本発明の第１実施形態では、電極ライン１３の断面の最上部の幅（ａ２）がプラズマディスプレイパネル１２の電極１４の幅（ｂ２）より小さいから、電極ライン１３がプラズマディスプレイパネルの電極１４の間のアライメントが正確ではないとしても、電極材のマイグレイションによる電極ラインの間のショート発生可能性が減る。
【００４６】
すなわち、電極ライン１３の断面の最上部の幅（ａ２）がプラズマディスプレイパネル１２の電極１４の幅（ｂ２）より小さいから、電極ラインの間の絶縁距離（Ｌ３）が図２及び図３での絶縁距離（Ｌ１）より大きく、これにより、マイグレイションによる電極ラインの間のショート発生可能性が減る。特に、電極１４に含まれた銀のマイグレイションによる電極ラインの間のショート現象の発生可能性を減らすことができる。
【００４７】
＜第２実施形態＞
図６は、本発明の第２実施形態によるプラズマディスプレイ装置の平面図であり、図７は、本発明の第２実施形態によるプラズマディスプレイ装置の断面図である。図７は、図６のＢ−Ｂ‘に対する断面を示す。本発明の第２実施形態によるプラズマディスプレイ装置は、電極１４を含むプラズマディスプレイパネル１２と、電極１４に駆動信号を供給するために電極１４と繋がれる電極ライン１３を含むコネクター１１と、を含む。電極１４と対向する電極ライン１３の断面の最下部の幅（ａ３）は、電極ライン１３の断面の最上部の幅（ａ２）と等しく、電極ライン１３の断面の最上部の幅（ａ２）は電極１４の幅（ｂ２）より小さい。本発明の第２実施形態によるプラズマディスプレイ装置で電極ライン１３の断面は長方形または正方形である。
【００４８】
電極ライン１３の表面には、ニッケルによってメッキを施すことができる。また、電極ライン１３の表面には、ニッケル薄膜が形成されることができる。また、電極１４と重なる電極ラインの表面にのみ、ニッケルによるメッキ又はニッケル薄膜を形成することも可能である。電極１４は、スキャン電極、サステイン電極またはデータ電極の内の少なくとも一つである。
すなわち、スキャン電極、サステイン電極またはデータ電極の内の一つの電極だけが電極ライン１３の幅より大きくなることができる。言い換えれば、スキャン電極、サステイン電極またはデータ電極のうちの少なくとも１つの電極に接続するコネクタの電極ラインを電極の幅よりも小さく形成する。また、スキャン電極、サステイン電極またはデータ電極の内の二つの電極それぞれの幅が電極ライン１３の幅より大きくなることができる。また、スキャン電極、サステイン電極及びデータ電極それぞれの幅が電極ライン１３の幅より大きくなることができる。
【００４９】
また電極１４は銅や銀を含む。また、コネクター１１は、ＣＯＦ、ＴＣＰまたはＦＰＣの内の一つを含む。また、コネクター１１は、ＣＯＦ、ＴＣＰまたはＦＰＣの何れのタイプのコネクタであっても良い。導電性接着フィルム１５は、プラズマディスプレイパネル１２及びコネクター１１に合着されて電極の間及び電極ラインの間を絶縁する。導電性接着フィルム１５は、異方性導電膜ＡＣＦ（Ａｎｉｓｏｔｒｏｐｉｃ  Ｃｏｎｄｕｃｔｉｖｅ  Ｆｉｌｍ）とすることが可能である。
【００５０】
電極ライン１３の断面の最上部の幅（ａ２）がプラズマディスプレイパネル１２の電極１４の幅（ｂ２）より小さいから、絶縁距離（Ｌ３）が図２及び図３の絶縁距離（Ｌ１）より大きい。電極１２の幅（ｂ２）は、電極ライン１３の断面の最上部の幅（ａ２）より１．１倍以上１．５倍以下である。これによって絶縁距離（Ｌ３）は電極と電極の間の距離（Ｄ）より大きい。
【００５１】
コネクター１１の電極ライン１３に導電性接着フィルム１５がかりに１次圧着される。そして電極ライン１３がプラズマディスプレイパネルの電極１４にアライメントされた後圧着基準点を基準で導電性接着フィルム１５がプラズマディスプレイパネル１２及びコネクター１１に加えられた力によって圧着される。
【００５２】
本発明の第１実施形態及び第２実施形態で導電性接着フィルム１５は、コネクター１１の電極ライン１３に１次に圧着できるが、プラズマディスプレイパネル１２の電極１４に１次的に圧着されることもできる。
【図面の簡単な説明】
【００５３】
【図１】一般的なプラズマディスプレイ装置のコネクターの断面図。
【図２】一般的なプラズマディスプレイ装置のコネクターの断面図。
【図３】一般的なプラズマディスプレイ装置のもう一つのコネクターの断面図。
【図４】本発明の第１実施形態によるプラズマディスプレイ装置の平面図。
【図５】本発明の第１実施形態によるプラズマディスプレイ装置の断面図。
【図６】本発明の第２実施形態によるプラズマディスプレイ装置の平面図。
【図７】本発明の第２実施形態によるプラズマディスプレイ装置の断面図。
【図４】
2006227622.tif 000003
【図５】
2006227622.tif 000004
【図６】
2006227622.tif 000005
【図７】
2006227622.tif 000006
【図１】
2006227622.tif 000007
【図２】
2006227622.tif 000008
【図３】
2006227622.tif 000009